(57)【要約】【課題】撮影者が自らを撮影する場合にパノラマ撮影がなされて被写体の一部が欠落した写真が撮影されることを防止すること。【解決手段】撮影者が自らを撮影する自分撮りモードを設定する自分撮りモード設定手段と、複数の画面撮影モードのうちパノラマ撮影モードを選択する選択手段を備えたカメラに於いて、前記選択手段によって前記パノラマ撮影モードが選択されている状態に於いて、前記自分撮りモード設定手段によって、自分撮りモードが設定された場合にパノラマ撮影モードを解除すること。【選択図】　　　　図３
2004029203.tif 000002
【特許請求の範囲】
【請求項１】
撮影者が自らを撮影する自分撮りモードを設定する自分撮りモード設定手段と、複数の画面撮影モードのうちパノラマ撮影モードを選択する選択手段を備えたカメラに於いて、前記選択手段によって前記パノラマ撮影モードが選択されている状態に於いて、前記自分撮りモード設定手段によって、自分撮りモードが設定された場合にパノラマ撮影モードを解除することを特徴とするカメラ。
【請求項２】
請求項１に従うカメラで、警告手段を備え、自分撮りモードが設定されている状態にある時にパノラマ撮影モードを選択する手段が操作されてパノラマ撮影モードが選択されると警告手段にて警告することを特徴とするカメラ。
【請求項３】
請求項１に従うカメラで、警告手段を備え、パノラマ撮影モードが設定されている状態にある時に自分撮りモードを選択する手段が操作されて自分撮りモードが選択されると警告手段にて警告することを特徴とするカメラ。
【請求項４】
被写体を照明するためのフラッシュ装置、撮影者が自らを撮影する自分撮りモードを設定する自分撮りモード設定手段とを備えたカメラで、自分撮りモード設定手段によって自分撮りモードが設定された場合に、前記フラッシュ装置のフラッシュの発光量も変更可能であることを特徴とするカメラ。
【請求項５】
請求項４のカメラに於いて、最適な露出制御を決定する露出制御決定手段と、被写体と其の周囲の明るさを検出する測光手段を有し、測光手段の測光結果より露出制御決定手段はシャッター速度、絞り口径、フラッシュの発光量、発光タイミングを決定するものであることを特徴とするカメラ。
【発明の詳細な説明】
【０００１】
【発明の属する技術分野】
撮影者が自らを撮影する際に適した状態に機能を設定する手段を備えたカメラ等の撮影装置に関する。
【０００２】
【従来の技術】
セルフポートレートなど撮影者自らが被写体として写る写真を撮影するのに、セルフタイマーやリモコン装置等が活用されてきたが、其れらを活用するためにはカメラを三脚などに固定する必要があり、撮影までの手順が煩雑であることから、最近では「自分撮りモード」と呼ばれるような撮影者を撮影するのに適した機能設定がなされるカメラも提案されている。
【０００３】
例えば特開平１１−３０５２９３号公報では「カメラを保持した撮影者自身を撮影するのに適した撮影条件を設定する撮影モードを備えたカメラ」として撮影条件として「絞りを小絞りに、撮影レンズ（ズームレンズの場合）の焦点距離を広角側に、ストロボは強制発光、撮影距離を近距離のみに制限する」ことなどが提案されている。
【０００４】
【発明が解決しようとする課題】
しかしながら、前記従来例では、写真画面の上下方向を狭めて見掛け上のパノラマ写真とするパノラマ撮影を禁止しないので、其のパノラマ撮影の状態で撮影者自身を写そうとすると、カメラの構え方によっては被写体の一部が欠けてしまう恐れがある。
【０００５】
本発明は以上の問題を踏まえてなされたもので、パノラマ撮影がなされて被写体の一部が欠落した写真が撮影されることを防止することを第１の目的とする。
【０００６】
また、上記従来例ではフラッシュを強制発光することから、撮影者自身は適正な露光量を得られるが、至近距離にいる撮影者に適正な露光量とするために絞りは小絞りに設定せざるを得ない。従って背景は露出不足となりがちで、例えば照明が不足気味になりがちな屋内では背景の光量不足でフィルムに撮影者しか写し込まれないことになってしまう。
【０００７】
本発明は以上の問題を踏まえてなされたもので、撮影者自ら撮影するのに適した撮影機能に設定する自分撮影モードに於いて、背景もフィルムに写し込まれる様にすることを第２の目的とする。
【０００８】
【課題を解決するための手段】
上記目的を達成するため本出願に係る発明は撮影者が自らを撮影する自分撮りモードを設定する自分撮りモード設定手段と、複数の画面撮影モードのうちパノラマ撮影モードを選択する選択手段を備えたカメラに於いて、前記選択手段によって前記パノラマ撮影モードが選択されている状態に於いて、前記自分撮りモード設定手段によって、自分撮りモードが設定された場合にパノラマ撮影モードを解除することにある。
【０００９】
上記構成で、自分撮りモードを選択すると自動的にパノラマ撮影が解除されることにより、パノラマ撮影がなされて被写体の一部が欠落した写真が撮影されることを防ぐことが可能となる。
【００１０】
また、警告手段を備えていて、自分撮りモードが設定されている状態にある時にパノラマ撮影モードを選択する手段が操作されてパノラマ撮影モードが選択されると警告手段にて警告することにある。
【００１１】
警告手段で警告することにより、撮影者は自分撮りモードでパノラマ撮影がなされることを知ることが出来るので、パノラマ撮影がなされて被写体の一部が欠落した写真が撮影されることを防ぐことが可能となる。
【００１２】
また、自分撮りモードが設定されている状態にある時にパノラマ撮影モードを選択する手段が操作されてもパノラマ撮影モードが選択されることを禁止するにある。
【００１３】
上記構成により、自分撮りモードに設定されている時にはパノラマ撮影が禁止され、従って自分撮りモードに設定されている時にはパノラマ撮影がなされて被写体の一部が欠落した写真が撮影されることを防ぐことが可能となる。
【００１４】
更に本発明は被写体を照明するためのフラッシュ装置、撮影者が自らを撮影する自分撮りモードを設定する自分撮りモード設定手段とを備えたカメラで、自分撮りモード設定手段によって自分撮りモードが設定された場合に、前記フラッシュ装置のフラッシュの発光量も変更可能としたことにある。
【００１５】
更には、最適な露出制御を決定する露出制御決定手段と、被写体と其の周囲の明るさを検出する測光手段を有し、測光手段の測光結果より露出制御決定手段はシャッター速度、絞り口径、フラッシュの発光量、発光タイミングを決定するものである。
【００１６】
【発明の実施の形態】
図１は本発明を具備したＡＰＳ（Ａｄｖａｎｃｅｄ　Ｐｈｏｔｏ　Ｓｙｓｔｅｍ）フィルム対応のカメラの外形を示す図面である。本図面に於いて１はカメラ本体、２は撮影レンズ、３と４は測距装置の受光レンズ、５はファインダーの対物レンズ、６は測光装置の受光レンズ、７はフラッシュの発光部、８はシャッターレリーズボタン、９は自分撮りモード設定手段としてのプッシュスイッチで、このスイッチを押込むとＯＮとなり、通常の撮影状態から自分撮りモードへ変わる。再度このスイッチが操作されると自分撮りモードから通常の撮影モードへ戻すことが出来る。
【００１７】
１０は反射鏡でレンズ２側を向いている面が鏡面であり、自分撮りモードで撮影される範囲を映すためのもので、不図示の駆動機構により自分撮りモードに設定された時に限って本図のように現れる。自分撮りモード以外の状態では自動的に収納されていて、携帯時や一般撮影時に邪魔にならないよう配慮されている。
【００１８】
図２はこのカメラの構成を示すブロック図で、３、４、６、７、９は図１で説明した通りである。１１はこのカメラの動作を制御する制御回路で、ＣＰＵと制御ソフトを書込んだマスクＲＯＭ、データの一時的な保存等に用いるＲＡＭ、不揮発性で書換え可能なＥＥＰＲＯＭ等のメモリ回路、更にはＡ／Ｄコンバータ等の周辺回路から構成されるものである。１２は複数の光電変換素子と其の出力信号を独立して取出す出力回路から成り、被写体と其の周囲の明るさを測光する機能を有する測光装置で、各光電変換素子の出力信号を制御回路１１へ伝える。
【００１９】
１３は一対の受光素子の信号を受けて被写体までの距離を算出する測距装置で、測距結果は制御回路１１へ伝える。
【００２０】
１４はフラッシュ装置で、発光光量を変化させる光量制御回路を備えるもので、其の詳細を図４と図５にて説明する。点線で囲んだ領域がフラッシュ装置１４に含まれる範囲で３０は電池電圧からフラッシュの発光に必要な電圧にまで昇圧する昇圧回路とフラッシュの発光及び発光停止を制御する昇圧・発光制御回路で、３１は昇圧・発光制御回路で発生した高電圧でチャージするメインコンデンサであり、フラッシュが発光する際に必要な電気エネルギーを蓄える。
【００２１】
３２はＩＧＢＴ等で構成されるスイッチ素子で、フラッシュ発光時はＯＮ状態であるが発光を停止させる際にＯＦＦ状態とすることで発光を停止させる。３３はトリガ電極でここに５０００Ｖ以上の高電圧を一瞬印加するとフラッシュは発光を開始する。このトリガ用の高電圧は昇圧・発光制御回路３０でつくられ、制御回路１１の指示により印加される。３４はＸｅ管で、フラッシュ発光部７に含まれるものである。トリガ電極３３に前述の高電圧が印加されるとメインコンデンサ３１に蓄えられたエネルギーを用いて発光を開始し、メインコンデンサ３１のエネルギーが消耗するか、若しくはスイッチ素子３２がＯＦＦ状態になることで発光を停止するものである。
【００２２】
図５はフラッシュの発光時の光の強さと経過時間の関係を示したもので、被写体に照射される光量は被写体に到達する光の強さを経過時間で積分したものである。従って、発光開始より発光停止までの時間を制御することにより被写体を照明する光量をある範囲で可変出来る。
【００２３】
図２に戻って１５はレンズ駆動装置で、測距装置１３から得た被写体までの距離に応じて被写体にピントを合わせるよう制御回路１１の指示に基づいて撮影レンズの合焦用レンズを駆動する。１６はシャッター制御装置で、測光装置１２から得た被写体の明るさに応じてフィルムに適正な露光量を与えるよう制御回路１１の指示に基づいて適切なシャッター速度と絞り値でシャッターを駆動する。
【００２４】
１７はフィルム給送装置で、制御回路１１の指示に基づいてフィルムの巻上げ、巻戻し動作を行う。１８は反射鏡１０の駆動装置でモータなどのアクチュエータを備え、自分撮りモード時には反射鏡を起し、自分撮りモードが解除されると反射鏡１０を収納する。１９は表示装置で、液晶などの表示部を備え、そこに制御回路１１の指示に基づいてカメラの状態等の情報を表示する。２０は発音体で、スピーカ等から構成され、制御回路１１の指示に基づき警告音等を発するものである。
【００２５】
２１は電池やＤＣ／ＤＣコンバータより構成される電源回路で、制御回路１１や其の他の回路に所定の電圧、電流を供給する。２２はＳＷ１で、シャッターレリーズボタン８が第一のストロークまで押込まれるとＯＮ状態となる。２３はＳＷ２で、シャッターレリーズボタン８が第一のストロークよりも深い第二のストロークまで押込まれるとＯＮ状態となる。２４はＣＨＰ切替えスイッチで、現像済のフィルムから印画紙に焼き込む際の画面形状をＣ：標準、Ｈ：ハイビジョンサイズ、Ｐ：パノラマの３種類から選択するための切替手段である。この選択された画面形状は表示装置１９の液晶表示部に示されるもので、撮影者は所望の画面形状が表示されるまでこのスイッチを操作する。
【００２６】
図３に示すフローチャートで本実施例のカメラでの自分撮りモードに於ける一駒撮影のシーケンスを示す。
【００２７】
Ｓ（ステップ）１：自分撮りモードと通常の撮影状態の分岐。自分撮りモードではＳ２へ移行する。
【００２８】
Ｓ２：自分撮りモードでありながらパノラマ撮影を行うパノラマ撮影モードに設定されているか否かを判定する。もしパノラマ撮影モードに設定されていれば其れを解除するためＳ３へ移行する。
【００２９】
Ｓ３：画面形状をパノラマからハイビジョンサイズに強制的に変更する。また、其の時撮影者に注意を促すため発音体にて短時間警告音を発する。
【００３０】
Ｓ４：制御回路１１の指示によりカメラの表示装置は図８に示す様に表示部（図１のカメラでは背面にＬＣＤパネルが設置されているものである）に、自分撮りモードであることを表示する。図８で５０はＬＣＤパネル、５１が自分撮りモードを示すアイコン、５２が画面形状を示すアイコンでハイビジョンサイズが選択されていることを示す。
【００３１】
Ｓ５：シャッターレリーズボタン８が所定の第一ストロークまで押込まれてＳＷ１がＯＮとなるのを待つ。
【００３２】
Ｓ６：測距装置にて被写体までの距離を測距する。測距結果は制御回路１１に送られる。
【００３３】
Ｓ７：測光装置１２にて被写体と其の周辺の明るさを測光する。測光結果は制御回路１１に送られる。
【００３４】
Ｓ８：被写体が所定の明るさより明るく、かつ周辺の明るさとの比較で逆光状態でないことが確認されるとＳ１０へ移行する。被写体が逆光状態若しくは所定の明るさより暗ければＳ９へ移行する。
【００３５】
Ｓ９：フラッシュ回路１４はメインコンデンサが所定の電圧に達するまで充電を続ける。充電が完了するとＳ１０へ移行する。
【００３６】
Ｓ１０：制御回路１１は露出制御決定手段としても作用するものであり、Ｓ７で求めた被写体と其の周辺の明るさから、適正なシャッター速度と絞り口径値を決定する。尚、シャッター速度は手振れを誘発しない範囲とするものである。また、Ｓ９を経過した場合には更に測距装置１３による測距結果を踏まえてフラッシュの発光量（フラッシュの発光開始〜発光停止の時間）と絞り口径を決定する。其の場合、被写体は適正な露出レベルとするが背景は適正レベル乃至は２段程アンダーとなるレベルになるよう設定することが望ましい。
【００３７】
Ｓ１１：シャッターレリーズボタン８が所定の第二ストロークまで押込まれてＳＷ２がＯＮ状態となるのを待つ。
【００３８】
Ｓ１２：Ｓ１０で決定したシャッター速度、絞り口径でシャッターを開く。また、Ｓ９を経過した場合にはフラッシュを発光する。
【００３９】
Ｓ１３：フィルム給送装置１７にてフィルムを一駒分巻き上げる。
【００４０】
以上述べたように本実施例に於いては、パノラマ撮影状態に設定されていても、自分撮りモードに設定されると其れを解除することから、撮影範囲が狭まって被写体の一部が欠けた写真が撮影されることを防ぐことが可能となる。
【００４１】
以上述べたように本実施例に於いては、被写体と其の周辺の明るさの測光結果からシャッター速度、絞り口径、更にはフラッシュの発光量や発光タイミングを決定することから、被写体だけが適正露出で背景が真っ黒になる写真が撮影されることを防止し、被写体と背景が共に写し込まれた写真を撮影することが可能となる。
【００４２】
以上の実施例では、フィルムの磁気記録部に、標準、ハイビジョン、パノラマ撮影モード等の情報を書き込みできる、ＡＰＳフィルムを使用するカメラについて説明をした。こうしたカメラでは、ラボで磁気記録部に記録された情報を読み取ることで、読み取った情報に従ってプリントアウトすることになる。
【００４３】
一方１３５フィルムでは、前述した磁気記録部はない。従ってパノラマ撮影モード時には、標準撮影画面に対して上下方向を遮光する遮光板を入り込ませる必要がある。
【００４４】
以下、この１３５フィルムを使用するカメラに対する実施例について説明する。
【００４５】
１３５フィルムを用いるカメラで、第一の実施例で述べた自分撮りモードに設定する自分撮りモード設定手段とパノラマ撮影モードに設定するパノラマ撮影設定手段とを備えたものを想定する。ところで前記パノラマ撮影設定手段としては操作部材の操作によりアパーチャ部に部材がせり出してフィルムの露光範囲を狭めるものが多数提案されている。図６に其の一例を示す。
【００４６】
図６（Ａ）は通常撮影時で４０がフィルムへの露光領域で４１と４２は可動部材で不図示の駆動機構により、パノラマ撮影モード設定手段の操作により矢印の方向に動かすことが出来る。図６（Ｂ）はパノラマ撮影モードに設定した時を示し、可動部材４１と４２が動いてフィルムへの露光領域４０の上下が狭められている。
【００４７】
この様な機構を有するカメラにあっては、自分撮りモード時にパノラマ撮影状態に設定された場合に、其れを強制的に解除するには大掛かりな装置構成が必要となる。そこで警告手段を用いた警告に止めることが現実的であり、本実施例では其のような構成のカメラについて記す。
【００４８】
図２のブロック構成のカメラにあっては表示装置１９と発音体２０が警告手段として作用するものであり、具体的な動作シーケンスは図７のフローチャートにて説明する。
【００４９】
Ｓ１：自分撮りモードと通常の撮影状態の分岐。自分撮りモードではＳ２０へ移行する。
【００５０】
Ｓ２０：パノラマ撮影モードか通常の撮影かの判定。もしパノラマ撮影モードに設定されていればＳ２２へ移行する。
【００５１】
Ｓ４〜Ｓ１１は第一の実施例で説明した図３のフローチャートと同様につき省略する。
【００５２】
Ｓ２１：ここでもパノラマ撮影モードか通常の撮影かを判定する。Ｓ２０以降にパノラマ撮影モードに設定される可能性があるためである。もしパノラマ撮影モードに設定されていたらＳ２２へ移行する。
【００５３】
Ｓ２２：表示装置のＬＣＤパネルにパノラマ撮影モードを示すアイコンを点滅させて、撮影者に警告する。また、発音体を駆動して警告音を鳴らす。
【００５４】
Ｓ１２〜Ｓ１３は第一の実施例で説明した図３のフローチャートと同様につき省略する。以上述べたように、自分撮りモード時にパノラマ撮影モードが設定されると、Ｓ２２へ移行して警告手段としての表示装置、及び発音体を用いて撮影者に警告すると同時に、Ｓ１２のシャッター開口の段階へ移行することがないので、結局シャッターが切れない、即ち自分撮りモードでパノラマ撮影がなされることを防ぐことが出来る。
【００５５】
尚、上記実施例では省略したが、パノラマ撮影モードが設定されていて、自分撮りモードに設定しようとする場合も、警告手段によって警告するとともに、シャッター開口を禁止することにより、上記実施例と同様自分撮りモードでパノラマ撮影がなされることを防ぐことが出来る。
【００５６】
【発明の効果】
以上説明した通り、撮影者が自らを撮影する自分撮りモードを設定する自分撮りモード設定手段と、複数の画面撮影モードのうちパノラマ撮影モードを選択する選択手段を備えたカメラに於いて、前記選択手段によって前記パノラマ撮影モードが選択されている状態に於いて、前記自分撮りモード設定手段によって、自分撮りモードが設定された場合にパノラマ撮影モードを解除することにより、自分撮りモードでは撮影範囲が狭められて被写体の一部が欠けてしまう恐れのあるパノラマ撮影がなされることを防ぐことが可能となる。
【００５７】
また、警告手段を備えていて、自分撮りモードが設定されている状態にある時にパノラマ撮影モードを選択する手段が操作されてパノラマ撮影モードが選択されると警告手段にて警告することにより、自分撮りモードでは撮影範囲が狭められて被写体の一部が欠けてしまう恐れのあるパノラマ撮影がなされることを防ぐことが可能となる。
【００５８】
また、自分撮りモードが設定されている状態にある時にパノラマ撮影モードを選択する手段が操作されてもパノラマ撮影モードを禁止することにより、自分撮りモードでは撮影範囲が狭められて被写体の一部が欠けてしまう恐れのあるパノラマ撮影がなされることを防ぐことが可能となる。
【００５９】
被写体を照明するためのフラッシュ装置、撮影者が自らを撮影する自分撮りモードを設定する自分撮りモード設定手段とを備えたカメラで、自分撮りモード設定手段によって自分撮りモードが設定された場合に、前記フラッシュ装置のフラッシュの発光量も変更可能とすることにより、被写体に対して適切な露出を与えるばかりでなく、背景についてもフィルムに写し込むことが可能となり、被写体である撮影者本人と背景が写し込まれた写真を撮影することが出来る。
【図面の簡単な説明】
【図１】本発明を具備するカメラの外観図
【図２】本発明を具備するカメラのブロック図
【図３】本発明を具備するカメラの自分撮りモードのシーケンス図
【図４】本発明に関するフラッシュ回路
【図５】フラッシュ発光時の経過時間と光量の関係
【図６】１３５フィルムを用いるカメラのパノラマ撮影機構
【図７】本発明を具備するカメラの自分撮りモードの撮影時のシーケンス図
【図８】表示装置のＬＣＤ表示部
【符号の説明】
１　カメラ本体
２　撮影レンズ
３、４　測距装置の受光レンズ
５　ファインダー対物レンズ
６　測光装置の受光レンズ
７　フラッシュ発光部
８　シャッターレリーズボタン
９　自分撮りモード設定スイッチ
１０　反射鏡
１１　カメラの制御回路
１２　測光装置
１３　測距回路装置
１４　フラッシュ回路
１５　レンズ駆動装置
１６　シャッター駆動装置
１７　フィルム駆動装置
１８　反射鏡駆動装置
１９　表示装置
２０　発音体
２１　電源
２２　ＳＷ１
２３　ＳＷ２
２４　画面形状切替えスイッチ
４０　フィルムの露光領域
４１、４２　遮光部材
５０　ＬＣＤパネル
５１　自分撮影モードを示すアイコン
５２　ハイビジョンサイズを示すアイコン
【図１】
2004029203.tif 000003
【図２】
2004029203.tif 000004
【図３】
2004029203.tif 000005
【図４】
2004029203.tif 000006
【図５】
2004029203.tif 000007
【図６】
2004029203.tif 000008
【図７】
2004029203.tif 000009
【図８】
2004029203.tif 000010